(57)【要約】【課題】  ドリルスタンドとドリルチャックとを締結した簡素な構成の装置で切削・穿孔・裁断・  打刻・圧着等の加工作業を行う時に、より安価に装置損傷の危険性を防いで安全性を高  め、ドリルチャックの上方向の位置ずれ・脱落を防止し作業効率の向上を図る。【解決手段】  ドリルチャックとドリルスタンドとの間に取り付けられるドリルチャックの位置ずれ・  脱落防止部品であって、ドリルチャックを締結する為のボルトを挿通する締結ボルト挿  通孔と、ドリルチャックが締結された本発明の部品をドリルスタンド本体の嵌合・締結  部と係合するために前記嵌合・締結部と同径を有する被嵌合・締結部と、位置ずれ・脱  落の障害となる位置ずれ・脱落防止部と、を備えた形状を有することを特徴とする位置  ずれ・脱落防止部品である。【選択図】図１
2016221634.tif 000002
【特許請求の範囲】
【請求項１】
ドリルチャックとドリルスタンドとの間に取り付けられるドリルチャックの位置ず      れ・脱落防止部品であって、ドリルチャックを締結する為のボルトを挿通する締結      ボルト挿通孔と、ドリルチャックが締結された本発明の部品をドリルスタンド本体      の嵌合・締結部と係合するために前記嵌合・締結部と同径を有する被嵌合・締結部      と、位置ずれ・脱落の障害となる位置ずれ・脱落防止部と、を備えた形状を有する      ことを特徴とする位置ずれ・脱落防止部品である。
【発明の詳細な説明】
【技術分野】
【０００１】
本発明は、加工用工具を装着したドリルチャックをドリルスタンドに挿嵌・締結し      て切削・穿孔・裁断・打刻・圧着等の作業を行う時にドリルチャックの上方向への      位置ずれ及び脱落を防止できる部品に関するものである。
【背景技術】
【０００２】
図６乃至図１０は従来の構成と具体例を説明するための図であり、図６は従来の具      体例斜視図、図７は従来の具体例分解斜視図、図８はドリルスタンドの斜視図、      図９はドリルチャックの斜視図、図１０は図６のB−B′切断部端面図である。
【０００３】
従来の具体例は図６に示すようにドリルスタンド１とドリルチャック２と加工用工      具３と加工対象物４とで構成される。図７に分解の詳細を示す。図８に示すように      ドリルスタンド１の本体１０には昇降レバー１１と嵌合・締結部１２と締め付けボ      ルト１３と加工台１４とが備えられている。図９に示すようにドリルチャック２の      本体２０にはチャック部２１が備えられている。図７に示すようにドリルチャック      ２はドリルスタンド１の本体１０にある嵌合・締結部１２下部より挿嵌され、ドリ      ルスタンド１の本体１０にある締め付けボルト１３を締め付けることによりドリル      チャック２が締め付けられ、ドリルスタンド１に固定される。
【０００４】
これらは図６に示すようにドリルチャック２の本体２０にあるチャック部２１に加      工用工具３を装着し、加工対象物４をドリルスタンド１の本体１０にある加工台        １４に配置して作業する。ドリルスタンド１の本体１０にある昇降レバー１１を押      下するとドリルチャック２とこれに装着された加工用工具３が垂直下方向に押下さ      れる。すなわちドリルスタンド１の本体１０にある昇降レバー１１を押下する力が      ドリルチャック２を通じて加工用工具３に伝達されることにより加工対象物４に切      削・穿孔・裁断・打刻・圧着等の加工が行われる。
【０００５】
またドリルチャックの代わりにバイスを用いた構成と、このバイスをドリルスタン      ドに結合する為の部品であって、ドリルスタンドとの接合部とずれ防止部とバイス      との接合部を有する革用騒音対策工具が特許文献１に開示されている。
【先行技術文献】
【特許文献】
【０００６】
【特許文献１】特開２０１０−１８８５１０号公報
【発明の概要】
【発明が解決しようとする課題】
【０００７】
以上のような従来の使用法には次のような解決すべき問題があった。
【０００８】
ドリルスタンド１の本体１０にある昇降レバー１１を押下して加工に要する力、す      なわち加工対象物４に作用する力は、垂直下方向にかかると同時に加工対象物４と      当接している加工用工具３及びドリルチャック２に対して反力が垂直上方向にかか      る。一方ドリルチャック２を固定しているドリルスタンド１の本体１０にある嵌合      ・締結部１２の締め付け力は、ドリルスタンド１の本体１０にある締め付けボルト      １３を強く締め込んでも、ある一定までしか得ることができず、加工に要する力の      反力に嵌合・締結部の締付け力が打ち負けた場合には、図１０に示すとおりドリル      チャック２はなんら上方向への障害となる構造を有しないため、ドリルチャック２      が所定の位置から上方向に位置ずれを起こす、あるいは脱落することがある。この      ため加工に要する力が上方向へ逃げてしまい、加工対象物４に正確に力を伝達でき      ずに所望の加工ができなくなり作業効率が低下する。
【０００９】
ドリルチャック２が位置ずれ・脱落することを防止するにはドリルスタンド１の本      体１０にある嵌合・締結部１２の締め付け力を強くするためにドリルスタンド１の      本体１０にある締め付けボルト１３をより強く締め付けることが考えられるが、ド      リルスタンド１の本体１０にある嵌合・締結部１２に亀裂が生じる、あるいはドリ      ルスタンド１の本体１０にある締め付けボルト１３とこれに螺合しているナットの      ネジ山に損傷が生じるなど装置が損傷する。よってドリルスタンド１の本体１０に      ある嵌合・締結部１２の締結力を強める強固な構造に変更するか、あるいはドリル      チャック２に突起などの障害を設けるなど、なんらかの構造を変更する必要があ        り、コスト高となる。
【００１０】
加工用工具の装着方法としてドリルチャックではなく特許文献１にあるようなバイ      スを用いた使用法ではドリルチャックよりもバイスの方が相対的に高価であり、ド      リルスタンドとバイスを接続する部品も形状が複雑で制作に時間がかかりコストが      高くなる。また、作業中に加工に要する力の反力が大きくなれば、バイスが用具を      挟んで保持している力が打ち負けて用具が所定の位置からずれる、あるいは脱落を      起こす可能性があり危険である。バイスとの接続に使用される２本のボルトが反力      を受けるためにボルトが変形し、最悪の場合は折損してバイス本体が脱落する危険      性もある。
【００１１】
本発明はかかる問題点を解決する為に創案されたものである。すなわち、バイスと      バイスを接続する部品とを使用せずに簡素な構成とすることで装置損傷の危険性を      防いで安全性を高め、従来のドリルスタンドとドリルチャックの構造はなんら変え      ることなく、従来と同じ嵌合・締結方法で装置の損傷を防止し、かつ、より安価に      ドリルチャックの上方向の位置ずれ・脱落を防止し作業効率の向上を図ることにあ      る。
【課題を解決するための手段】
【００１２】
本発明は以上の点を解決するために次のような部品を提供する。
【００１３】
ドリルチャックとドリルスタンドとの間に取り付けられるドリルチャックの位置ず      れ・脱落防止部品であって、ドリルチャックを締結する為のボルトを挿通する締結      ボルト挿通孔と、ドリルチャックが締結された本発明の部品をドリルスタンド本体      の嵌合・締結部と係合するために前記嵌合・締結部と同径を有する被嵌合・締結部      と、位置ずれ・脱落の障害となる位置ずれ・脱落防止部と、を備えた形状を有する      ことを特徴とする位置ずれ・脱落防止部品である。
【発明の効果】
【００１４】
本発明の位置ずれ・脱落防止部品はボルト挿通孔を備えているため本発明の位置ず      れ・脱落防止部品と市販のドリルチャックとをボルトによって容易に締結すること      ができるとともにドリルチャックが破損などの理由により交換が必要となった場合      でもドリルチャックを容易に交換することができる。
【００１５】
本発明の位置ずれ・脱落防止部品本体に被嵌合・締結部を設け、この外径をドリル      スタンド本体にある嵌合・締結部の内径と同寸法とすることにより、従来と同じ方      法でドリルチャックを間接的にドリルスタンドに係合することができるため、ドリ      ルスタンド本体にある嵌合・締結部を強く締め付ける必要性がなく、装置の損傷が      生じない。またドリルチャック及びドリルスタンドの構造を変更する必要がなく従      来と同じ締結方法とすることができるのでコストを抑えることができる。
【００１６】
本発明の位置ずれ・脱落防止部品の本体に位置ずれ・脱落防止部を設け、この外径      をドリルスタンド本体にある嵌合・締結部外径以上の寸法とすることにより、位置      ずれ・脱落防止部上面が全周にわたりドリルスタンド本体にある嵌合・締結部の下      面と接するように嵌合・締結するから、これが加工に要する力の反力に対する障害      の役目を果たし、ドリルチャックの上方向への位置ずれ・脱落を防止することがで      きるため、加工に要する力が上方向に逃げることなく加工対象物に適切に力を加え      ることができ、作業効率の向上を図ることができる。
【００１７】
ドリルスタンドにはドリルチャックを組み合わせ、これに加工用工具を装着した構      成で使用するほうがバイスを用いた場合よりも構成が簡素であり、装置の損傷の危      険性が少なく安全性を向上できる。
【図面の簡単な説明】
【００１８】
【図１】本発明の具体例斜視図である。
【図２】本発明の具体例分解斜視図である
【図３】本発明の位置ずれ・脱落防止部品の斜視図である。
【図４】本発明の位置ずれ・脱落防止部品の正断面図である。
【図５】図１のA−A′切断部端面図である。
【図６】従来の具体例斜視図である。
【図７】従来の具体例分解斜視図である。
【図８】ドリルスタンドの斜視図である。
【図９】ドリルチャックの斜視図である。
【図１０】図６のB−B′切断部端面図である。
【発明を実施するための形態】
【００１９】
以下、本発明の実施の形態について図を用いて説明する。図1は本発明の具体例斜      視図、図２は本発明の具体例分解斜視図、図３は本発明の位置ずれ・脱落防止部品      の斜視図、図４は本発明の位置ずれ・脱落防止部品の正断面図、図５は図１のA−      A′切断部端面図である。
【実施例】
【００２０】
本実施例は図１のようにドリルスタンド１とドリルチャック２と加工用工具３と      加工対象物４と本発明の位置ずれ・脱落防止部品５と締結ボルト６で構成される。      分解の詳細は図２に示す。
【００２１】
図１に示すドリルスタンド１は図８に詳細を示す。ドリルスタンド１の本体１０に      は、ドリルチャック２に装着された加工用工具３を昇降移動させて加工に必要な力      を手によって加え力を調節するための昇降レバー１１と、ドリルチャック２を嵌め      て締結される嵌合・締結部１２と、これを締め付けるための締め付けボルト１３と      、加工対象物４を配置するための加工台１４とが備えられている。
【００２２】
図１に示すドリルチャック２は図９に詳細を示す。ドリルチャック２の本体２０に      は加工用の工具が装着されるチャック部２１と、本来シャンクを螺合するためのネ      ジ穴が設けられている締結部２２とが備えられている。ドリルチャック２は手また      は付属工具（チャックキー）で本体２０にあるチャック部２１を緩締すること          により加工用工具を簡単に素早く脱着または交換することができる機能を有する。      
【００２３】
図１に示す本発明の位置ずれ・脱落防止部品５は図３に概要を示す。本発明の位置      ずれ・脱落防止部品５は本体５０と被嵌合・締結部５１と、位置ずれ・脱落防止部      ５２と、締結ボルト挿通孔５３とで形成される。図４と図５に示すように被嵌合・      締結部５１は外径がドリルスタンド１の本体１０にある嵌合・締結部１２の内径と      同じ外径で形成されるとともに高さがドリルスタンド１の本体１０にある嵌合・締      結部１２の高さと等しく形成され、ドリルスタンド１の本体１０にある嵌合・締結      部１２に嵌合・締結される機能を有する。位置ずれ・脱落防止部５２は外径がドリ      ルスタンド１の本体１０にある嵌合・締結部１２の外径以上の寸法で形成され、位      置ずれ・脱落を防止する機能を有する。締結ボルト挿通孔５３は締結ボルト４を挿      通するに足りる寸法で形成され、ドリルチャック２と本発明の位置ずれ・脱落防止      部品５とを締結するための締結ボルト６を挿通できる機能を有する。本発明の位置      ずれ・脱落防止部品５は材質は鉄などの金属により形成されている。
【００２４】
締結ボルト６は、ドリルチャック２の本体２０にある締結部２２のネジ穴に合うボ      ルト径及び長さで形成され、本発明の位置ずれ・脱落防止部品５とドリルチャック      ２を締結するためのボルトである。
【００２５】
これらは図２の分解斜視図のように以下のとおり接続される。
【００２６】
本発明の位置ずれ・脱落防止部品５の本体５０にある締結ボルト挿通孔５３より締      結ボルト６を挿通し、ドリルチャック２の本体２０にある締結部２２と締結ボルト      ６を螺合させ締め付け、本発明の位置ずれ・脱落防止部品５はドリルチャック２に      締結される。
ドリルチャック２が締結された本発明の位置ずれ・脱落防止部品５の本体５０にあ      る被嵌合・締結部５１をドリルスタンド1の本体１０にある嵌合・締結部１２に下      方向より嵌め、本発明の位置ずれ・脱落防止部品の本体５０にある上方向への位置      ずれ・脱落防止部５２の上面全周がドリルスタンド１の本体１０にある嵌合・締結      部１２の下面に接するまで押し上げ、ドリルスタンド１の本体１０にある締め付け      ボルト１３を締め付け、本発明の位置ずれ・脱落防止部品の本体５０にある被嵌合      ・締結部５１が締め付けられることによりドリルスタンド１へ締結される。
【００２７】
図１に本発明の具体例斜視図を示し、以下のように実施する。
【００２８】
ドリルチャック２の本体２０にあるチャック部２１に加工用工具３を装着し、ドリ      ルスタンド１の本体１０にある加工台１４に加工対象物４を配置する。ドリルチャ      ック２に装着される加工用工具は加工内容によってその都度変更可能であり、例え      ば穿孔作業を行いたい場合には穿孔ポンチを、目打ち作業を行いたい場合には錐な      どに変更する。ドリルスタンドに接続された状態で容易に加工用工具の変更が可能      である。また加工作業中の加工対象物のずれや加工台の損傷を防ぐために、ドリル      スタンド１の本体１０にある加工台１４に木版やコルクシートやゴムシートなどを      敷設し、その上に加工対象物４を配置するとより作業がしやすくなる。
そしてドリルスタンド１の本体１０にある昇降レバー１１を押下し、加工用工具３      が垂直下方向に押下され、加工対象物４が加工される。ドリルスタンド１の本体１      ０にある昇降レバー１１を押下する力が加工用工具３に伝達され、加工対象物４に      作用するので加工対象物４に加工が施される状態を確認しながら昇降レバー１１を      押下する力を調節することで所望の加工結果を得ることができる。
【００２９】
しかし加工に要する力、すなわちドリルスタンド１の本体１０にある昇降レバー１      １から本発明の位置ずれ・脱落防止部品５とドリルチャック２を通じて加工用工具      ３に伝達され加工対象物４に作用する力は、垂直下方向にかかると同時に加工対象      物４と当接している加工用工具３及びドリルチャック２に対して反力が垂直上方向      にかかる。加工対象物４の硬さあるいは加工の種類などによっては加工するのに相      当大きい力を要する場合がある。すなわち加工対象物４に作用する力が大きい場合      、当然反力も大きくなりドリルスタンド１の本体１０にある嵌合・締結部１２の締      付け力が反力に打ち負けると本発明の位置ずれ・脱落防止部品５の本体５０にある      被嵌合・締結部５１が所定の位置より上方向にずれることになるが、ドリルスタン      ド１の本体１０にある嵌合・締結部１２の下面と全周にわたり接している本発明の      位置ずれ・脱落防止部品の本体５０にある位置ずれ・脱落防止部５２の上面が反力      に対する障害の役目を果たすから、ドリルチャック２は上方向への位置ずれ・脱落      を起こすことはないので加工用工具３も上方向にずれることなく加工対象物４に正      確に力を伝達することができる。
【００３０】
本発明の構成は上述したものに限られるものでなく、発明の趣旨を逸脱しない範囲      で適宜変更することができるのはもちろんである。例えば、本発明の部品の材質に      は鉄を採用しているが、脱落防止部が受ける力による変形を鑑み、強度に耐えうる      のであれば材質は問わない。そのほか本発明の部品はドリルチャックにボルトで締      結することを前提としているが、ドリルチャックの種類によってはボルトによる締      結ができない場合には溶接するなど、結合の方法はこれに限ったものではない。
【符号の説明】
【００３１】
１      ドリルスタンド
２      ドリルチャック
３      加工用工具
４      加工対象物
５      本発明の位置ずれ・脱着防止部品
６      締結ボルト
１０    ドリルスタンド本体
１１    昇降レバー
１２    嵌合・締結部
１３    締め付けボルト
１４    加工台
２０    ドリルチャック本体
２１    チャック部
２２    締結部
５０    本発明の位置ずれ・脱着防止部品本体
５１    被嵌合・締結部
５２    位置ずれ・脱落防止部
５３    締結ボルト挿通孔
【図１】
2016221634.tif 000003
【図２】
2016221634.tif 000004
【図３】
2016221634.tif 000005
【図４】
2016221634.tif 000006
【図５】
2016221634.tif 000007
【図６】
2016221634.tif 000008
【図７】
2016221634.tif 000009
【図８】
2016221634.tif 000010
【図９】
2016221634.tif 000011
【図１０】
2016221634.tif 000012